(57)【要約】【課題】携帯型電子機器の表示面をユーザの見やすい角度に調整可能であるとともに、携帯型電子機器において受信される電波の受信状態または携帯型電子機器から他の機器へ送出される電波の送出状態が良好となるように携帯型電子機器の位置を調整可能とすること。【解決手段】クレードル１０は、放送信号を受信可能な携帯電話機１００を装着可能な本体１と、車内のダッシュボード等の設置面に設置され本体１を互いに直交する第１の回動軸２１及び第２の回動軸２２により設置面に対して傾動させることが可能な可動ジョイント２とを有する。本体１は、放送信号をＦＭ波に変調してカーオーディオ等の外部機器へ送出可能なＦＭトランスミッタ１７を内蔵し、可動ジョイント２によりクレードル１０を傾動させることで、携帯電話機１００の表示面を見やすい角度に調整できるとともに、放送信号の受信状態及び上記ＦＭ波の送出状態が良好となるよう調整できる。【選択図】  図１
2007288593.tif 000002
【特許請求の範囲】
【請求項１】
無線信号を受信するアンテナ及び当該無線信号を復調して得られた復調信号に基づき所定情報を表示する表示面を有する携帯型電子機器を着脱自在な装着部を有する本体と、
前記本体を設置面に設置するとともに、前記装着部に装着された前記携帯型電子機器の前記表示面の前記設置面に対する角度を可変するように前記本体を傾動自在に支持する可動部と
を具備することを特徴とするクレードル。
【請求項２】
請求項１に記載のクレードルにおいて、
前記装着部へ装着された携帯型電子機器から、前記復調信号を入力する入力部と、
前記入力された復調信号が変調されて重畳された搬送波を外部機器へ送出する送出部と
を更に具備することを特徴とするクレードル。
【請求項３】
請求項２に記載のクレードルにおいて、
前記携帯型電子機器は、前記表示面に対向する背面を有し、
前記本体は、前記装着された携帯型電子機器の前記背面に接しつつ当該背面を支持する第１の面と、当該第１の面に対向する第２の面とを有し、
前記可動部は、前記第２の面に接続される接続部と、前記接続部から所定距離を置いて設けられ、前記設置面に設置される設置部とを有する
ことを特徴とするクレードル。
【請求項４】
請求項３に記載のクレードルにおいて、
前記第１の面は、前記携帯型電子機器の背面を支持しつつ当該背面の一部を露出させるように、前記携帯型電子機器の離脱方向へ形成されたテーパ部を有する
ことを特徴とするクレードル。
【請求項５】
請求項４に記載のクレードルにおいて、
前記本体は、前記テーパ部の前記離脱方向の端部に、前記携帯型電子機器を前記装着方向へ固定する固定部を有することを特徴とするクレードル。
【請求項６】
請求項２に記載のクレードルにおいて、
前記可動部は、前記表示面に略平行な第１の回動軸を有する第１の回動機構と、前記第１の回動軸に略直交する第２の回動軸を有する第２の回動機構とを有する
ことを特徴とするクレードル。
【請求項７】
請求項６に記載のクレードルにおいて、
前記第１の回動機構及び前記第２の回動機構は、前記本体をそれぞれ段階的に回動させる手段を有することを特徴とするクレードル。
【請求項８】
請求項１に記載のクレードルにおいて、
前記可動部は、前記本体に着脱自在に設けられることを特徴とするクレードル。
【請求項９】
コンテンツデータを記憶する記憶部と、前記コンテンツデータに関する関連情報を表示する表示面とを有する携帯型電子機器を着脱自在な装着部を有する本体と、
前記装着部に装着された携帯型電子機器から前記コンテンツデータを入力する入力部と、
前記入力されたコンテンツデータが重畳された搬送波を外部機器へ送出する送出部と、
前記本体を設置面に設置するとともに、前記装着部に装着された前記携帯型電子機器の前記表示面の前記設置面に対する角度を可変するように前記本体を傾動自在に支持する可動部と
を具備することを特徴とするクレードル。
【請求項１０】
無線信号を受信するアンテナ及び当該無線信号を復調して得られた復調信号に基づき所定情報を表示する表示面を有する携帯型電子機器と、
前記携帯型電子機器を着脱自在な装着部を有する本体と、前記本体を設置面に設置するとともに、前記装着部に装着された前記携帯型電子機器の前記表示面の前記設置面に対する角度を可変するように前記本体を傾動自在に支持する可動部とを有するクレードルと
を具備することを特徴とする電子機器。
【請求項１１】
コンテンツデータを記憶する記憶部と、前記コンテンツデータに関する関連情報を表示する表示面とを有する携帯型電子機器と、
前記携帯型電子機器を着脱自在な装着部を有する本体と、前記装着部に装着された携帯型電子機器から前記コンテンツデータを入力する入力部と、前記入力されたコンテンツデータが重畳された搬送波を外部機器へ送出する送出部と、前記本体を設置面に設置するとともに、前記装着部に装着された前記携帯型電子機器の前記表示面の前記設置面に対する角度を可変するように前記本体を傾動自在に支持する可動部とを有するクレードルと
を具備することを特徴とする電子機器。
【発明の詳細な説明】
【技術分野】
【０００１】
本発明は、放送信号を受信可能な例えば携帯電話機等の携帯型電子機器を着脱自在なクレードル及び当該クレードルと携帯型電子機器とからなる電子機器に関する。
【背景技術】
【０００２】
近年、例えば衛星放送や地上デジタル放送または地上アナログ放送の放送信号を受信することが可能な携帯電話機等の携帯型電子機器が開発されている。当該携帯型電子機器は、自動車内に持ち込むことで、車内でも上記放送信号を受信して番組を視聴または聴取することが可能となっている。
【０００３】
このような携帯型電子機器は、そのままでは車内に固定することができないため、車内に固定された専用のクレードルに着脱して使用するのが通常である。当該クレードルには、携帯型電子機器を着脱可能であるばかりでなく、携帯型電子機器が受信及び復調した放送信号を、例えばカーオーディオやカーナビゲーションシステムのような車内のＡＶ（オーディオ／ビジュアル）機器へ転送して、当該ＡＶ機器において番組を視聴または聴取できるようにしたものも存在する（例えば、下記特許文献１参照）。  
【特許文献１】特開２００４−３１２７２２号公報（図１等）
【発明の開示】
【発明が解決しようとする課題】
【０００４】
しかしながら、上記特許文献１においては、車内の所定の位置（例えばダッシュボード）にクレードルを固定してしまうと、当該クレードル及びそれに装着された携帯型電子機器の設置位置を変更することができないため、携帯型電子機器の表示面の、ユーザに対する角度の調整を行なうこともできない。携帯型電子機器の表示面は例えば液晶ディスプレイで構成されているが、当該液晶ディスプレイは視野角に制限があるため、ユーザに対して適切な角度で設置されないと、表示面が見づらくなる。また、特に車内では、フロントガラス等から入射する太陽光が表示面に反射してしまい、これによっても表示面が見づらくなってしまう。
【０００５】
また、携帯型電子機器において放送信号の受信状態は時々刻々と変化するものであるが、クレードルの位置を固定してしまうと、それに装着された携帯型電子機器の受信アンテナの位置を固定することとなり、受信状態が悪い場合に対応することができない。
【０００６】
更に、上記特許文献１においては、携帯型電子機器から車内のＡＶ機器へ放送信号を転送する場合、携帯型電子機器側に設けられた映像信号または音声信号の出力端子と、ＡＶ機器側に設けられた入力端子とに接続されたケーブルを介して有線送信を行っているが、例えばＦＭトランスミッタ等を用いて、ＦＭ受信機能を有するＡＶ機器へ放送信号を転送する場合には、クレードルを固定してしまうと、ＦＭトランスミッタの送信アンテナの位置を固定することなり、ＦＭトランスミッタからのＦＭ波の送信状態、すなわちＡＶ機器におけるＦＭ波の受信状態が悪い場合に対応することができない。
【０００７】
以上のような事情に鑑み、本発明の目的は、携帯型電子機器の表示面をユーザの見やすい角度に調整可能であるとともに、携帯型電子機器において受信される電波の受信状態または携帯型電子機器から他の機器へ送出される電波の送出状態が良好となるように携帯型電子機器の位置を調整可能なクレードル及び電子機器を提供することにある。
【課題を解決するための手段】
【０００８】
上述の課題を解決するため、本発明の主たる観点に係るクレードルは、無線信号を受信するアンテナ及び当該無線信号を復調して得られた復調信号に基づき所定情報を表示する表示面を有する携帯型電子機器を着脱自在な装着部を有する本体と、前記本体を設置面に設置するとともに、前記装着部に装着された前記携帯型電子機器の前記表示面の前記設置面に対する角度を可変するように前記本体を傾動自在に支持する可動部とを具備する。
【０００９】
ここで無線信号とは、例えば放送信号や、電話の受話信号、パケット通信におけるパケット信号等である。携帯型電子機器とは、例えば携帯電話機やＰＤＡ（Personal Digital Assistants）等である。また外部機器とは、例えばカーオーディオ装置（カーラジオ装置）、カーナビゲーションシステム、スピーカ装置等、上記搬送波の受信機能を有する機器である。また設置面とは、例えば自動車内のダッシュボードやコンソール、家庭内の壁面等である。また所定の情報とは、例えば上記放送信号に基づく映像情報や、放送番組のタイトル、楽曲のタイトル、放送周波数等の番組関連情報及び時刻等の情報である。
【００１０】
この構成により、上記可動部により本体を傾動させることで、携帯型電子機器の表示面に表示される所定の情報がユーザにとって見やすい角度となるように調節できるとともに、携帯型電子機器における放送信号の受信感度を向上させるように受信部の位置を調節することができる。
【００１１】
上記クレードルは、前記装着部へ装着された携帯型電子機器から、前記復調信号を入力する入力部と、前記入力された復調信号が変調されて重畳された搬送波を外部機器へ送出する送出部とを更に具備していてもよい。
【００１２】
これにより、上記可動部を傾動させることで、上記無線信号の受信感度に加えて、上記外部機器における搬送波の受信感度（外部機器に対する搬送波の送出状態）を向上させるように、上記送出部による搬送波の送出方向を調節することができる。なお、搬送波とは、例えばＦＭ波やＡＭ波等である。
【００１３】
上記クレードルにおいて、前記携帯型電子機器は、前記表示面に対向する背面を有し、前記本体は、前記装着された携帯型電子機器の前記背面に接しつつ当該背面を支持する第１の面と、当該第１の面に対向する第２の面とを有し、前記可動部は、前記第２の面に接続される接続部と、前記接続部から所定距離を置いて設けられ、前記設置面に設置される設置部とを有していてもよい。
【００１４】
これにより、上記第１の面で携帯型電子機器の背面を支持することで、装着部に装着された携帯型電子機器をより安定させることができるとともに、上記接続部と設置面との間に所定距離が空いているため、携帯型電子機器と設置面との間にスペースが生まれ、当該スペースに手の指を入れて携帯型電子機器を背面側から把持することで、装着された携帯型電子機器を容易に取り外す可能となる。なお、所定距離とは例えば少なくとも２、３ｃｍであるが、この数値に限られず、携帯型電子機器と設置面との間に指を入れられる空間を生じさせる距離であればよい。
【００１５】
上記クレードルにおいて、前記第１の面は、前記携帯型電子機器の背面を支持しつつ当該背面の一部を露出させるように、前記携帯型電子機器の離脱方向へ形成されたテーパ部を有していても構わない。
【００１６】
これにより、テーパ部から露出した携帯型電子機器の背面の一部を把持することで、装着された携帯型電子機器を更に容易に取り外すことができる。
【００１７】
上記クレードルにおいて、前記本体は、前記テーパ部の前記離脱方向の端部に、前記携帯型電子機器を前記装着方向へ固定する固定部を有していてもよい。
【００１８】
これにより、携帯型電子機器を本体に更に安定して支持することができる。特に、自動車内のように、垂直方向の振動がかかる環境においては有効である。また、固定部が上記テーパ部の端部に設けられているため、例えば一の指で上記固定部による固定を解除しながら、他の指で装着部による装着を解除することで、携帯型電子機器を片手で容易に取り外すことができる。ここで固定部は、例えばコイルバネや板バネ、ゴム等の、携帯型電子機器を上記装着方向へ付勢する付勢部材を有していてもよい。
【００１９】
上記クレードルにおいて、前記可動部は、前記表示面に略平行な第１の回動軸を有する第１の回動機構と、前記第１の回動軸に略直交する第２の回動軸を有する第２の回動機構とを有していても構わない。
【００２０】
これにより、携帯型電子機器の表示面に対して平行な２軸で本体を回動可能とすることで、表示面の角度を容易に調節可能とし、また携帯型電子機器における無線信号の受信状態及び上記送出部における搬送波の送出状態を容易に調節可能とすることができる。また、表示面に対して垂直方向の軸による回動（θ方向の回動）をさせないことで、例えば当該クレードルが自動車内等の振動を受ける環境に搭載された場合に、振動により表示面がθ方向にユーザの意図に反して回転してしまい見づらくなったり、無線信号の受信状態や搬送波の送出状態が悪くなったりすることを防ぐことができる。
【００２１】
上記クレードルにおいて、前記第１の回動機構及び前記第２の回動機構は、前記本体をそれぞれ段階的に回動させる手段を有していてもよい。
【００２２】
これにより、本体を回動させて調節した位置を固定することができるため、表示部の見やすさや無線信号の良好な受信感度及び外部機器における搬送波の良好な受信感度を持続させることができる。
【００２３】
上記クレードルにおいて、前記可動部は、前記本体に着脱自在に設けられるようにしても構わない。
【００２４】
これにより、上記設置面に対して可動部のみを設置した後、当該可動部に本体を装着することで、当該クレードルを所望の位置に容易に設置することができる。
【００２５】
本発明の他の観点に係るクレードルは、コンテンツデータを記憶する記憶部と、前記コンテンツデータに関する関連情報を表示する表示面とを有する携帯型電子機器を着脱自在な装着部を有する本体と、前記装着部に装着された携帯型電子機器から前記コンテンツデータを入力する入力部と、前記入力されたコンテンツデータが重畳された搬送波を外部機器へ送出する送出部と、前記本体を設置面に設置するとともに、前記装着部に装着された前記携帯型電子機器の前記表示面の前記設置面に対する角度を可変するように前記本体を傾動自在に支持する可動部とを具備する。
【００２６】
ここでコンテンツデータとは、例えば音声（楽曲データ）、映像データ、静止画データ、テキストデータ等である。また関連情報とは、例えば楽曲のタイトルや、音声番組及び映像番組のタイトル、静止画やテキストのタイトル等である。また外部機器とは、例えばカーオーディオ装置やカーナビゲーション装置、テレビジョン装置、ディスプレイ装置等である。この構成により、上記可動部により本体を傾動させることで、コンテンツデータの関連情報が表示される表示面の角度をユーザの見やすい角度に調整できるとともに、上記コンテンツデータが重畳された搬送波の外部機器に対する送出状態を向上させるように携帯型電子機器の位置を調整することができる。
【００２７】
本発明の他の観点に係る電子機器は、無線信号を受信するアンテナ及び当該無線信号を復調して得られた復調信号に基づき所定情報を表示する表示面を有する携帯型電子機器と、前記携帯型電子機器を着脱自在な装着部を有する本体と、前記本体を設置面に設置するとともに、前記装着部に装着された前記携帯型電子機器の前記表示面の前記設置面に対する角度を可変するように前記本体を傾動自在に支持する可動部とを有するクレードルとを具備する。
【００２８】
本発明の更に別の観点に係る電子機器は、コンテンツデータを記憶する記憶部と、前記コンテンツデータに関する情報を表示する表示面とを有する携帯型電子機器と、前記携帯型電子機器を着脱自在な装着部を有する本体と、前記装着部に装着された携帯型電子機器から前記コンテンツデータを入力する入力部と、前記入力されたコンテンツデータが重畳された搬送波を外部機器へ送出する送出部と、前記本体を設置面に設置するとともに、前記装着部に装着された前記携帯型電子機器の前記表示面の前記設置面に対する角度を可変するように前記本体を傾動自在に支持する可動部とを有するクレードルとを具備する。
【発明の効果】
【００２９】
以上のように、本発明によれば、携帯型電子機器の表示面をユーザの見やすい角度に調整可能であるとともに、携帯型電子機器において受信される電波の受信状態または携帯型電子機器から他の機器へ送出される電波の送出状態が良好となるように携帯型電子機器の位置を調整することができる。
【発明を実施するための最良の形態】
【００３０】
以下、本発明の実施の形態を図面に基づき説明する。
【００３１】
図１は、本実施形態におけるクレードル１０の正面側の外観を示した斜視図であり、図２は、図１のクレードル１０に携帯電話機１００を装着した状態を示した斜視図である。また図３は、クレードル１０の背面側の外観を示した斜視図であり、図４は、図３に示したクレードル１０を本体と可動部とに分解した状態を示した斜視図である。当該クレードル１０は、後述するように、例えば自動車のダッシュボード等に搭載される。
【００３２】
これらの図に示すように、クレードル１０は、本体１と可動ジョイント２とで構成される。本体１の正面側には、図２に示すように携帯電話機１００が着脱可能に装着される装着部３が設けられている。装着部３は、携帯電話機１００の下部を収容して携帯電話機１００を立てた状態で保持する凹形状を有している。
【００３３】
図２に示すように、携帯電話機１００は、例えば第１の筐体１０１と第２の筐体１０２とが図２のＹ軸方向にスライド可能に連結された、いわゆるスライド式の形態を有する。第１の筐体１０１には、例えばＴＦＴ（Thin Film Transistor）液晶等の液晶からなる表示部１０３と、十字キーや通話ボタン等の操作部１０４ａとが設けられ、第２の筐体１０２にはテンキー等の操作部１０４ｂが設けられている。操作部１０４ｂは、第１の筐体１０１及び第２の筐体１０２をスライドさせることで収容可能となっている。また後述するように、本実施形態における携帯電話機１００は、通常の通話機能及び通信機能に加えて、放送受信機能を有している。
【００３４】
装着部３の底部には、凸形状のコネクタ４が設けられている。当該コネクタ４と、携帯電話機１００の第２の筐体１０２の底面に設けられた凹形状のコネクタとを各図Ｙ軸方向へ嵌合させることで携帯電話機１００が装着部３に装着され、また両コネクタを介してクレードル１０と携帯電話機１００が電気的及びメカ的に接続されるようになっている。当該携帯電話機１００が装着部３に装着され、コネクタ４に接続された状態で、ユーザは携帯電話機１００の表示部１０３を見ることができ、また操作部１０４ａ及び１０４ｂに対して入力操作を行うことが可能となっている。
【００３５】
また、本体１は、上記装着された携帯電話機１００の背面に接しつつ当該背面を支持する支持面１ａを有する。当該支持面１ａにより、装着部３に装着された携帯電話機１００を更に安定させることができる。また支持面１ａは、各図のＹ軸方向（携帯電話機１００の離脱方向）に向かって形成されたテーパ部１６を有する。当該テーパ部１６の先端には、装着部３に装着された携帯電話機１００を固定するための固定部５が接続されている。
【００３６】
固定部５は、上記テーパ部１６の延長線上に接続された回動板７を有する。当該回動板７は、支持面１ａの裏面に設けられた回動軸８と接続されることで、各図矢印Ａ方向へ回動可能となっている。回動板７には、携帯電話機１００の第２の筐体１０２の上面を、携帯電話機１００の装着方向へ固定するための固定板６が、支持面１ａの略垂直方向に突設されている。また回動板７は、回動軸８に設けられたねじりコイルバネ９により、固定板６が携帯電話機１００を装着部３との間で挟むように回動する方向（各図矢印Ａ１方向）へ付勢されている。携帯電話機１００を取り外す際には、上記ねじりコイルバネ９の付勢力に抗して回動板７を上記各図Ａ１方向とは逆のＡ２方向へ回動させて、固定板６を第２の筐体１０２から離脱させた上で、装着部３のコネクタ４から携帯電話機１００の底面を離脱させる。当該固定部５で携帯電話機１００を上面側から固定することで、特にクレードル１０を車内に搭載する際には、運転中の振動等により携帯電話機１００がクレードル１０から脱落することを効果的に防ぐことができる。なお、ねじりコイルバネ９の代わりに他のバネやゴム等の他の弾性体を付勢手段として用いてももちろん構わない。
【００３７】
また上述したように支持面１ａにテーパ部１６が形成されていることで、図２に示すように、携帯電話機１００が装着部３に装着された状態においては、携帯電話機１００の第２の筐体１０２の背面が支持面１ａに支持されながらも支持面１ａの裏面から露出し、また第２の筐体１０２の側面も露出するため、ユーザはこの露出した背面及び側面を把持することで、携帯電話機１００を容易に取り外すことができるようになっている。また、ユーザは、例えば人差し指で固定部５の固定を解除しながら、親指や中指等でテーパ部１６から露出した携帯電話機１００の背面及び側面を把持することで、携帯電話機１００を装着部３から片手で容易に取り外すことができる。
【００３８】
図３及び図４に示すように、クレードル１０の本体１の背面１ｂには、本体１を例えば自動車のダッシュボードやコンソール等の設置面に設置するための可動ジョイント２が設けられている。図４に示すように、本体１の背面１ｂにはレール部１１が設けられ、また可動ジョイント２には当該レール部１１に係合することで接続可能な接続部２４が設けられている。可動ジョイント２は、当該接続部２４を当該レール部１１に対して両図矢印Ｂ方向にスライドさせて接続することで、本体１の背面１ｂに着脱自在となっている。
【００３９】
また可動ジョイント２の、上記接続部２４と対向する位置には、上記設置面に設置される設置部２３が設けられている。設置部２３には例えば粘着シートが設けられており、当該粘着シートにより設置面に対して貼付されることで固定される。設置部２３は、粘着シートの代わりに例えばネジや吸盤等により設置面に設置されるようにしても構わない。
【００４０】
接続部２４と設置部２３との間には、互いに略直交する第１の回動軸２１及び第２の回動軸２２が設けられている。当該第１の回動軸２１及び第２の回動軸２２は、本体１の背面１ｂ及び装着された携帯電話機１００の表示部１０３の表示面の略平行面上に設けられており、各回動軸により、本体１は、可動ジョイント２に接続され、かつ設置面に設置された状態で、当該設置面に対して傾動可能となっている。
【００４１】
上述のように可動ジョイント２を着脱自在としたことにより、クレードル１０の設置面への設置をスムーズに行わせることができる。すなわち、まず可動ジョイント２のみを例えば車内のダッシュボード等の所定の設置面が見やすい状態で貼付等により設置した後、本体１のレール部１１を可動ジョイント２の接続部２４に係合させることで、本体１の影に隠れた部分を確認しながら設置部２３を貼付する等の煩雑な作業を不要としている。また、後述する外部アンテナのケーブルや音声出力用のケーブル等をクレードル１０に接続する際にも、ケーブルを接続した後に本体１をクレードル１０に接続することで、クレードル１０を設置した後に当該ケーブルを接続する場合に比べて、ケーブルがねじれたり絡んだりすることを防ぐことができる。
【００４２】
図５は、クレードル１０の底面図である。同図に示すように、クレードル１０の本体１の底面１ｃには、例えば車内のカーオーディオ等の外部機器とクレードル１０とを接続して、クレードル１０が携帯電話機１００から上記コネクタ４を介して入力した音声信号を外部機器へ出力するための音声出力端子１３と、例えば車内に搭載されたバッテリに接続されてクレードル１０に対してＤＣ電源を供給するための電源入力端子１４と、例えば車外のルーフ部やサイドガラス等に設けられた放送受信用の外部アンテナと接続してクレードル１０を介して携帯電話機１００に放送信号を入力するための一対の外部アンテナ接続端子１５とが設けられている。
【００４３】
また、本体１の例えば左側の側面には、上記外部アンテナを介して受信される放送信号の周波数を調整したり、クレードル１０が内蔵するＦＭトランスミッタ（後述）の周波数を調整したりするためのジョグダイヤル１２が設けられている。
【００４４】
また本体１は、可動ジョイント２の第１の回動軸２１により可動ジョイント２を回動させることで、設置面６０に対して同図矢印Ｃ１及びＣ２方向に傾動させることが可能となっている。図６は、第１の回動軸２１により本体1を傾動させた様子を示した図である。同図（ａ）が図５のＣ１方向へ、同図（ｂ）が図５のＣ２方向へ傾動させた様子をそれぞれ示している。なお、第１の回動軸２１は例えば歯車形状を有しており、図示しない軸受け部に設けられた突起部に係合することで、上記Ｃ１方向及びＣ２方向へ段階的（例えばＣ１方向とＣ２方向とにそれぞれ２段階ずつ）に回動可能となっており、これにより本体１は設置面６０に対して段階的に傾動可能となっている。
【００４５】
図７は、クレードル１０の左側面図である。同図に示すように、クレードル１０は、可動ジョイント２の第１の回動軸２１と略直交する第２の回動軸２２により可動ジョイント２を回動させることで、上記Ｃ１方向及びＣ２方向に略直交するＤ１方向及びＤ２方向にも傾動させることが可能となっている。図８は、第２の回動軸２２により本体１を傾動させた様子を示した図である。同図（ａ）が図７のＤ１方向へ、同図（ｂ）が図７のＤ２方向へ傾動させた様子をそれぞれ示している。なお、第２の回動軸２２も、上記第１の回動軸２１と同様の構造を有し、上記Ｄ１方向及びＤ２方向へ例えば各２段階ずつ、段階的に回動可能となっており、これにより本体１は、設置面６０に対して上記Ｄ１及びＤ２方向へも段階的に傾動可能となっている。
【００４６】
なお、クレードル１０は、第１の回動軸２１による回動と第２の回動軸２２による回動とを組み合わせて、上記第１の回動軸２１により上記Ｃ１またはＣ２方向へ所定段階傾動させた状態で、第２の回動軸２２によりＤ１方向Ｄ２方向へ更に傾動させることも可能である。
【００４７】
また、図７に示すように、クレードル１０の初期状態（傾動していない状態）において、可動ジョイント２の接続部２４が接続される本体１のレール部１１と、設置部２３が設置された設置面６０との間には、所定の距離ｄが空いている。これにより、本体１と設置面６０との間にスペースが生まれるため、ユーザは当該スペースを利用して指をクレードル１０の背面側から回しこむようにして携帯電話機１００の第２の筐体１０２の背面及び側面を把持することで、固定部５による固定を解除しながら携帯電話機１００を装着部３から容易に離脱させることが可能となる。上記所定の距離ｄは例えば約２〜３ｃｍ程度であるが、この数値に限られるものではない。
【００４８】
図９は、携帯電話機１００が装着されたクレードル１０を車内に搭載した状態を示した図である。同図に示すように、クレードル１０は、例えば車内のダッシュボード２０１やコンソール等、略平面状の設置面に例えば貼付により設置される。また後述するように、クレードル１０は携帯電話機１００が受信した放送信号を上記コネクタ４を介して入力して、車内のカーオーディオ２０２等の外部機器へＦＭ波として送出することが可能なＦＭトランスミッタを内蔵している。
【００４９】
ここで、携帯電話機１００及びクレードル１０の内部構成について説明する。図１０は、携帯電話機１００及びクレードル１０の構成を示したブロック図である。
【００５０】
同図において、電話用アンテナ３１は、例えば内蔵アンテナであり、通話やパケット通信のための電波の送受信を行う。通信部３２は、当該電話用アンテナ３１により送受信される電波の周波数変換や変調及び復調を行う。なお、パケット通信において送受信されるデータは、画像データ、電子メールデータ、プログラムデータ、その他の各種データである。フラッシュメモリ３３は、上記画像データ、電子メールデータの他、電話帳データ、映像データ、音声（楽曲）データ等の各種データや、ＯＳ（Operating System）やアプリケーションソフトウェア等のプログラムデータを記憶する不揮発性のメモリである。
【００５１】
操作部１０４は、図２に示したテンキーや十字キー等であり、ユーザの各種操作を入力して、各操作に対応した処理を行わせるための信号をホストＣＰＵ（Central Processing Unit）３６へ伝える。マイクロフォン３４は、Ｄ／Ａ（アナログ／デジタル）コンバータや増幅器等を有し、ユーザから入力された通話（送話）用のアナログ音声データをデジタル音声データへ変換してホストＣＰＵ３６へ送る。ホストＣＰＵ３６へ送られたデジタル音声データは、符号化された後、通信部３２及び電話用アンテナ３１を介して送信される。
【００５２】
表示部１０３は、操作部１０４に対するユーザ操作に基づいて、ホストＣＰＵ３６の制御の下、通話画面やメール画面、その他各種設定画面等を表示する。スピーカ３５は、デジタル／アナログ変換機や増幅器等を有し、通信部３２を介して入力された通話（受話）用の音声データや呼び出し音（着信報知音等）用の音声データに対してデジタル／アナログ変換処理及び増幅処理を行い、出力する。
【００５３】
ホストＣＰＵ３６は、通話における音声データの符号化及び復号化等、当該携帯電話機１００の各部と信号をやり取りして携帯電話機１００を統括的に制御する。ＲＡＭ（Random Access Memory）３７は、ホストＣＰＵ３６の作業領域として用いられ、フラッシュメモリ３３やＲＯＭ３８から各種データを読み出して一時的に格納する揮発性のメモリである。ＲＯＭ（Read Only Memory）３８は、ホストＣＰＵ３６が各部を制御するための制御プログラムや各種の初期設定データ等を記憶する不揮発性のメモリである。当該ＲＯＭ３８を設けずに、制御プログラム等を上記フラッシュメモリ３３に格納するようにしても構わない。バッテリ３９は、例えばリチウムイオンバッテリであり、携帯電話機１００の各部へ電力を供給する。
【００５４】
また、携帯電話機１００は、以上のような通話や通信といった携帯電話機としての基本的機能のための構成の他、例えば衛星放送や地上デジタル放送、地上アナログ放送等の放送を受信する機能を有する。当該放送受信機能を実現するために、携帯電話機１００は、フロントエンド部４０及びバックエンド部５０を有している。両部は上記ホストＣＰＵ３６に制御されるほか、その他各部と接続されている。なお、本実施形態においては、上記放送は映像信号を有さない音声放送であるが、映像信号を有する放送であってももちろん構わない。
【００５５】
フロントエンド部４０は、ダイバーシティによるＲＦ信号（放送信号）の受信を行うための一対の内蔵アンテナ４１と、内蔵アンテナ４１から入力された放送信号を増幅する一対のＬＮＡ（ローノイズアンプ）４２と、上記内蔵アンテナ４１からの入力と上記外部アンテナからの入力とを切り替える一対のアンテナ切替スイッチ４３と、各アンテナ切替スイッチ４３から入力された放送信号をダウンコンバートするためのＲＦダウンコンバータ４４と、当該ダウンコンバートされた放送信号を復調する復調部４５と、条件付きアクセスまたは限定受信にされている有料放送において受信契約の有無に応じて放送信号の解読を実行するか否かを規制して特定の視聴者のみが放送を視聴可能とするＣＡＳ（Conditional Access System）４６と、フロントエンド部４０全体を制御するフロントエンドＣＰＵ４７とを有している。なお、アンテナ切替スイッチ４３は、例えば、外部アンテナ接続端子１５に外部アンテナが接続されたとき、当該接続による力によって内蔵アンテナ４１に代えて外部アンテナからの信号がＲＦダウンコンバータ４４に入力されるように切り替えるものである。外部アンテナが外部アンテナ接続端子１５から外されたときには、その逆の動作が行われる。
【００５６】
ここで、放送局からの放送信号の伝送にはマルチパス環境においても良好な受信が可能なＣＤＭ（Code Division Multiplexing；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して、携帯電話機１００に到来した受信信号を複数の相関受信機を用いて分離し、散乱した信号を合成して信号電力を高めて受信する、いわゆるＲＡＫＥ受信を行うことにより、耐マルチパス特性の高い受信が可能となる。
【００５７】
バックエンド部５０は、フロントエンド部４０により復調された放送信号を復号するデコーダ５１と、復号化されたデジタル信号のうち音声信号をアナログの音声信号に変換してスピーカ３５から出力させるＤ／Ａ（デジタル／アナログ）コンバータ５３と、復号化されたデジタル信号から、例えば番組のタイトルや楽曲データ、周波数データ等のテキスト情報を抽出してアナログ映像信号として表示部１０３に表示させるＤ／Ａコンバータ５２とを有する。
【００５８】
なお、上記デコーダ５１により復号化される前のデジタル信号は、例えば操作部１０４の操作入力等に基づいて、上記フラッシュメモリ３３に記録（録音）することも可能となっている。記録された音声信号は、操作部１０４の操作入力に基づいてデコーダ５１に渡され、再生することが可能である。
【００５９】
クレードル１０は、上述したように、携帯電話機１００が受信して復調及びデコードされアナログ変換された音声信号をコネクタ４を介して入力して、ＦＭ波としてカーオーディオ２０２に送出するためのＦＭトランスミッタ１７を有する。ＦＭトランスミッタ１７は、コネクタ４から入力された音声信号を所定のＦＭ周波数に変調して搬送波に重畳し、ＦＭ波として出力するＦＭ変調部１８と、当該搬送波を増幅して、ＦＭ受信機能を有するカーオーディオ２０２へ送出する送信アンテナ１９を有する。また、上記ジョグダイヤル１２により上記ＦＭ周波数の調整が行なわれる。当該ＦＭ周波数の調整においては、カーオーディオにおいて受信されるＦＭ放送の周波数に影響を及ぼさない周波数帯がユーザにより選択される。当該ＦＭトランスミッタ１７により、携帯電話機１００で受信した放送信号の音声を、携帯電話機１００のスピーカ３５で出力するよりも高音質の音声出力が可能な車内のスピーカから出力させることができる。なお、図５においても示したように、クレードル１０には、上記コネクタ４から入力した音声信号を、上記ＦＭトランスミッタ１７からではなくケーブル等を介してカーオーディオ２０２へ出力するための音声出力端子１３と、クレードル１０にＤＣ電源を入力する電源入力端子１４と、携帯電話機１００の内蔵アンテナ４１に代わって放送信号を受信する外部アンテナと接続するための一対の外部アンテナ接続端子１５とが設けられている。
【００６０】
図１０のように構成された携帯電話機１００及びクレードル１０において、放送信号を受信し、または当該放送信号をＦＭトランスミッタ１７によりカーオーディオ２０２へ出力する場合、内蔵アンテナ４１で受信される放送信号の受信状態、またＦＭトランスミッタ１７から送出されるＦＭ波の送出状態は時々刻々と変化するため、受信状態及び送信状態が良好でない場合も想定される。そこで、本実施形態におけるクレードル１０は、上記図１〜図８に示したように、可動ジョイント２をダッシュボード２０１等の設置面６０に対して上記Ｃ１、Ｃ２方向及びＤ１、Ｄ２方向に傾動可能とすることで、装着部３に装着された携帯電話機１００の表示部１０３の表示面の角度をユーザが見やすいように調整することができるだけでなく、上記放送信号の受信状態及びＦＭ波の送出状態が良好となるように調整することを可能としている。すなわち、車内にクレードル１０を固定した状態でも、放送信号を常に良好な状態で受信し、再生することが可能となる。
【００６１】
また、上記第１の回動軸２１と第２の回動軸２２による２軸方向の傾動を可能としたことで、多方向の調整が可能となるとともに、携帯電話機１００の表示面に垂直な軸（上記各図におけるＺ軸）による回動（表示面に対してθ方向の回動）を規制したことで、特に車内においては、運転中の振動により、ユーザの意図しない方向に回転してしまうことを防ぐことができる。
【００６２】
なお、本発明は上述の実施形態にのみ限定されるものではなく、本発明の要旨を逸脱しない範囲内において種々変更を加え得ることは勿論である。
【００６３】
上述の実施形態においては、クレードル１０を車内に設置する場合を説明したが、クレードル１０の設置場所は車内に限られず、例えば家庭内等の屋内において、ＦＭ波の受信機能を有するＡＶ機器の近傍の壁面等に設置することで、携帯電話機１００により放送信号を受信しながら、当該放送信号をＦＭ波にしてＡＶ機器に送出して再生させることも可能である。
【００６４】
また、上述の実施形態においては、クレードル１０は、携帯電話機１００が受信した放送信号をＦＭトランスミッタ１７によりＦＭ波としてカーオーディオ２０２等へ送出していたが、例えばＡＭトランスミッタ等、他の変調方式による搬送波により放送信号を送出するようにしても構わない。
【００６５】
また、上述の実施形態においては、可動ジョイント２は第１の回動軸２１及び第２の回動軸２２により２軸方向の回動が可能となっていたが、可動ジョイント２を２軸方向のみならず、あらゆる方向へ傾動させることが可能ないわゆるユニバーサルジョイントとして構成してもよい。この場合、振動等により本体１がユーザの意図しない方向へ傾動してしまうことを防ぐために、ユーザの所定の角度で本体１を係止する手段を有していることが好ましい。
【００６６】
上述の実施形態において、携帯電話機１００で受信される放送信号は音声放送の放送信号であったが、映像信号も含むテレビ放送を受信可能としても構わない。この場合、上記可動ジョイント２による表示部１０３の表示面の角度調整の効果が更に大きくなる。
【００６７】
上述の実施形態においては、クレードル１０には携帯電話機１００を装着可能としていたが、放送を受信する機能を有してさえいれば、例えばＰＤＡ等のあらゆる携帯型電子機器を適用することが可能である。
【００６８】
上述の実施形態においては、携帯電話機１００は、放送を受信する内蔵アンテナ４１とＦＭトランスミッタ１７とを共に具備していたが、例えば内蔵アンテナ４１を有さずに、フラッシュメモリ３３等に記憶した音声データ（楽曲データ）や映像データ、静止画データ、テキストデータ等のコンテンツデータを再生する機能、及び当該コンテンツデータをＦＭ波としてカーオーディオ２０２やカーナビゲーションシステム等の外部機器へ送出する機能を具備するようにしても構わない。コンテンツデータを外部機器へ送出する際に、上記可動ジョイント２により本体１を傾動させることで、搬送波の送出状態（外部機器における搬送波の受信状態）を向上させることができる。
【００６９】
上述の実施形態においては、上記ＦＭトランスミッタ１７は、アンテナ４１により受信された放送信号を再変調して外部機器へ送出していたが、放送信号ではなく、アンテナ３１で受信した受話信号やパケット信号等を再変調して送出するようにしても構わない。
【図面の簡単な説明】
【００７０】
【図１】本発明の一実施形態におけるクレードル１０の正面側の外観を示した斜視図である。
【図２】図１のクレードル１０に携帯電話機１００を装着した状態を示した斜視図である。
【図３】本発明の一実施形態におけるクレードル１０の背面側の外観を示した斜視図である。
【図４】図３に示したクレードル１０を本体と可動部とに分解した状態を示した斜視図である。
【図５】本発明の一実施形態におけるクレードル１０の底面図である。
【図６】図５に示したクレードル１０の本体１が傾動する様子を示した図である。
【図７】本発明の一実施形態におけるクレードル１０の側面図である。
【図８】図７に示したクレードル１０の本体１が傾動する様子を示した図である。
【図９】本発明の一実施形態において、クレードル１０及び携帯電話機１００が車内に搭載された状態を示した図である。
【図１０】本発明の一実施形態におけるクレードル１０の構成を示したブロック図である。
【符号の説明】
【００７１】
１…本体
１ａ…支持面
１ｂ…背面
２…可動ジョイント
３…装着部
４…コネクタ
５…固定部
６…固定板
７…回動板
８…回動軸
９…コイルバネ
１０…クレードル
１１…レール部
１６…テーパ部
１７…ＦＭトランスミッタ
１８…ＦＭ変調部
１９…送信アンテナ
２１…第１の回動軸
２２…第２の回動軸
２３…設置部
２４…接続部
３６…ホストＣＰＵ
４０…フロントエンド部
４１…内蔵アンテナ
５０…バックエンド部
５１…デコーダ
６０…設置面
１００…携帯電話機
１０３…表示部
１０４…操作部
２０１…ダッシュボード
２０２…カーオーディオ
【図１】
2007288593.tif 000003
【図２】
2007288593.tif 000004
【図３】
2007288593.tif 000005
【図４】
2007288593.tif 000006
【図５】
2007288593.tif 000007
【図６】
2007288593.tif 000008
【図７】
2007288593.tif 000009
【図８】
2007288593.tif 000010
【図９】
2007288593.tif 000011
【図１０】
2007288593.tif 000012